(57)【要約】従来の窓は引き違い窓もしくは開き窓に大別されるが、本発明は引き違い窓の持つ左右方向の開閉機能と開き窓の全開開閉機能を併せ持つ窓を提供します。【課題】引き違い窓は全開しても片側に障子が残り窓枠いっぱいに全開出来ないが、レールから障子を外し丁番により内側に開かせ全開させる。【解決手段】内外障子を枠の片側に引き寄せホルダー部に固定、上下させ上レール、下レールから外し丁番を用いて内側に開かせることにより全開機能をもたせた。【選択図】    図１
2004176300.tif 000002
【特許請求の範囲】
【請求項１】
枠形状を利用し図８のホルダー部に内外障子を引寄せ、図１２ホルダーケーシング内部に組み込まれた、図１９、図２９、図２１、図２２アーム、フックで挟み固定し図１５（１０）・（１１）のラック・ピニオンギアで上下させ、外側上レール・下レールを図４７外側障子ホルダーの上がることにより外し、内側上レールを図４８内側障子ホルダーの下がりで、内側下レールを図１８、図１９、図２０の動きであらわした戸車とスカート部の上昇により外し図２４（１２）の丁番にて内側に開き、全開で得られる明るい開口面積、美しい眺望の得られる機構。
【請求項２】
内障子を外す時、図２６の取っ手を押し下げる事により図２７、図２８、（８）のラックが（５９）ギアにより内視左框方向に動きと同時に動く（４３）戸車カム、ギアが戸車を跳ね上げ図２９、図３０の動きと成り戸車が上下する機構。
【請求項３】
内外障子をホルダーに挟み固定する時図１３、図１４のアーム・フック形状の（３１）前側左右アーム連結部と（３１）アームと（３２）短フック（３１）アームと（４９）長フックの連結部を結ぶラインが、框のホルダー部への進入とアーム頂部を押し収まることにより、框反対側に押し出され框とアームをロックする形状及び機構。
【請求項４】
通常の引き違い窓と開き窓を使い分ける時、図４、図７の外側障子框先端が開閉する機構。
【請求項５】
請求項４の框が図４内視右枠に収まった時、タテ框と下框の結合部を越え下框まで入り込み、気密・水密を高める機構。
【請求項６】
内障子を外す時、戻す時図２４の取っ手を押し下げ、引き上げる事により図２７、図２８（８）の取っ手とピンと止め輪でつながれた（４５）カム、スカートの吊り上げ動により図３２、図３３と動き、スカートが上下する機構。
【請求項７】
引き違いの時は障子外れ止めの機能を有し請求項４、図７のホルダーに収まった時は深く収まることにより解除され、請求項１の動きを可能にする図１７の気密ブロック及び枠形状。
【請求項８】
図８、図１０、図１１、図２１のホルダー側凸部と框側凹部で障子を受けると同時にシマリ収まりを実現し、障子建てつけ変化に対応出来る形状及び機構。
【請求項９】
引き違い窓の時は図１２、図２２（１９）上部が内側上レールに収まり（２２）下部が外側下レールに収まりホルダー部が開かず、開き窓の時は、図２１上下動作して内開きを可能にする形状及び機構。
【請求項１０】
図２５、一時ロックを図１５（１）の位置に取り付け、図２２開き窓の時ホルダーの不要に下がるのを防ぐロック機構。
【請求項１１】
図２６取っ手を押し下げる動きによって図２７、から図２８へ移動する時、またその逆の動きの時、ラックの戻りを防止する図３５、図３６、図３７、図３８、図３９図４０、図４１、のラック・ロック機構。
【請求項１２】
図４６、図４７、図４８、図４９のスライダーとロッドを機能させる図４５のロッド・レバーの形状はロッドを上下運動させる部位とハンドルとを兼用した形状及び機構。
【発明の詳細な説明】
【０００１】
【発明が属する技術分野】
本発明は、彩光と換気を目的として建築物に取り付けられる窓に関するものである。
【０００２】
【従来の技術】
引き違い窓  スベリ出し窓  横軸回転窓  上げ下げ窓  外開き窓  内倒し窓  内開き窓  など色々あるが開閉方向は一機能しかない。
【０００３】
【発明が解決しようとする課題】
引き違い窓の水平方向開閉機能と、開き窓の前後方向の開閉機能を併せ持つ。安全かつ簡便な操作で開閉できる窓。
【０００４】
【課題を解決するための手段】
内障子、外障子を枠片側に引き寄せホルダー部に固定、内外障子の重量バランスを利用し上下させる。上方向の動きで外側障子を上レール、下レールから外し、内側障子は下方向の動きで上レールを外し、下レールは戸車の移動、下框の収縮で下レールから浮かせ、丁番を用いて内側に開かせることで全開の機能を持たせた。
【０００５】
【発明の実施の形態】
図２の内視障子の閉まっている状態から、図１の外視全開された状態に移行するまでの操作の手順を説明します。
【０００６】
図２の状態に対応する図は図４であり障子が閉められている状態である、この時、図４（２８）気密ブロックの下に内視外框右側が位置している為、障子に対して外れ止めと成りレールからの脱落を防ぐ。
【０００７】
図４の状態から（２９）框戸当りを閉じ、内障子次に外障子と図９可動部内の図１０内側障子用ホルダー、図１１外側障子用ホルダーに手で押しセットする。
【０００８】
図１５は、前項の操作を可能する待機状態の可動部内ホルダー部の状態であり、前項の操作をすると図１２の（１９）（２０）（２１）（２２）のアーム、フック、ケーシングに収められた上下一対の（３１）前アームを（２９）框戸当りが閉じられた状態の（３３）内視外側左框が押しながら収まると、（３２）（５０）フックで、図１０外側障子用ホルダーに固定される、その状態が図１６である。
【０００９】
ホルダーに固定されている時の障子の状態は図７である、この時（３４）外側上框レールガイド部が（２８）気密ブロックから外れた上部へ移動出来る状態に位置する、そして図７、図２１、図８（４０）框加重部、（４１）障子受けが合致し図２１の組み合わせと自重により下がらず、図８のホルダーと障子うけの、凹凸組み合わせ形状によりスライド調整でき、ビス、ナットにより固定、障子の建てつけ調整による高さ変化に対応出来る機能を持つ。
【００１０】
ホルダーに組み込まれたアーム、フックで固定され可動部に収められた内外障子は図１６の（１０）ラックギア（１１）ピニオンギア介してバランスし、図１の（２）、図２６取っ手を手で押し下げる力により外側障子は上がり、内側障子は下がる動きをする。
【００１１】
前項、前々項の流れを表した図は、図１８で気密、水密、外れ止めの機能を有する（２８）気密ブロックと（３６）外側上レール（３７）外側下レール（３８）内側上レール（３９）内側下レールに収まった状態であり、図２カット線Ｃ−Ｃでの断面図である。図１９は図１６の可動部に収まり上がり下がりする直前の状態であり、図２のカット線Ｄ−Ｄでの断面図である。図２０はラックギア、ピニオンギアを介して各レールから外れた状態でカット線Ｄ−Ｄでの断面図である。
【００１２】
図１９から図２０へ移行する時、図２のカット線Ｆ−Ｆ断面図、図２７の（２）取っ手図２６を押し下げると、図２７（４５）戸車を図２７（４３）取っ手ギア部の縦方向の力が図２７（５９）ギアを介して図２７（８）低部にギア加工されたラックを内視左可動部方向に動かし、連動する図２７（４４）カム・ギアにより図２８の状態にまで上げ、図２７カット線Ｇ−Ｇの断面図である図２９から図３０の変化でレールから浮かせることが出来、同時に（２）取っ手の下端部と軸と止め輪で組つながれた図２７（４６）カム・スカートを押し下げ図３１スカートを図２７カット線Ｊ−Ｊの断面図、図３２から図３３の動作変化で引き上げ、内障子の下がりを吸収し内側下レールから浮かせる。外側障子は図３の（６１）と図２０（３４）で示した、上枠レール部はＪ形、外上框ガイド部の逆Ｌ構造であるため外障子の上がり移動だけで上レール、下レール共に外す事が出来る。
【００１３】
前項の操作と動作での戸車が上がり、スカートも収納された状態を保持する機構として図２７（８）ラック（６）ラック・ロック（４）ラック・ロック、ストッパーが図２８のカット線Ｌ−Ｌ断面図である図３４で（２）取っ手の押し下げ、引き上げ動作による（８）ラックの横運動時で、下框にセットされた図２８（５３）ラック、ロック、ブロック内を上下するラック・ロックが（８）ラックの図２７のＸ受け穴から図２８のＹ受け穴移動することでラックを固定し、戸車、スカートを保持する。図３５、図３６、図３７、図３８はその際の動作分解図である。図４１の時が引き違い窓の状態で、Ｘロック受け穴に（６）ラック・ロックが収まっていて、図３５で（４）ラック・ロック、ストッパーを手前に倒し、（６）ラック・ロックをＸロック受け穴から引き上げ（２）取っ手を押し始めた動きで、図３６、図３７、図３８の順で取っ手が下がりきり、Ｙロック受け穴に収まる。
【００１４】
図３５、図３６、図３７、図３８、までの操作で内外各レールから外れた障子は、図２４（１２）の丁番にて内開き全開できる、そして全開操作、閉める操作を可能にしている外障子が上がり内障子は下がっている状態を保つ為図２５の一時ロックを図２４（４７）の位置に取り付け、内障子の不要な応力による上がりを防ぐ。外障子は内障子よりも軽くなるために一方向の固定でよい。
【００１５】
前項の為の図２５一時ロックの動作は、図８（４９）の内側ホルダーが全開時下がり位置へ下がった時、可動部と内側ホルダー合致する部位に加工した図８（５１）の溝に図２５（５２）のかかり部に嵌り内障子の位置を保つ。
【００１６】
図２４から図１６にもどる引き違い窓にする操作は、図２４（５５）を（１）を上にスライドさせ図２５（７）の一時ロック解除駒で図２５（２７）（４２）ロック解除された状態にして、図３９、図４０、図４１の（２）取っ手を引き上げる操作をする。図３９から図４０、図４１まではその時のラック・ロックの動作分解図である。図３９で、（２）（取っ手）手かかり部を図３５表記Ｚ方向にスライドさせて、（６）ラック・ロックをＹ受け穴から引き上げ、ラック、ロック固定状態を開放（４）ラック・ロックストッパー下端まで取っ手を引き上げて行くと、図４０のレベルから「図２７」（５８）取っ手スライダー戻しカムの動作が始まり、図４１で戻り終わる。
【００１７】
取っ手の引き上げ操作でホルダー部は、図２３から図２２の状態に戻り、図１０外側障子用ホルダー下側に組み込まれた図１２（２２）アーム、フック、ケーシングの溝が外側下レールにセットされ、図１１内側障子用ホルダー上側に組み込まれた（１９）アーム、フック、ケーシングの溝が内側上レールにセットされ可動部は固定する。
【００１８】
図１６の状態で障子はレールに収まり可動部は開ないようになり、図１（３）図４５ロッド、レバーを図４９表記の動作分解図手順により、可動部から引き出し図４６、図５０の解除動作工程、（３）レバーが（５６）（５７）ロッドを押し上げ、ロッドの上下運動を、可動部上下に組み込まれ図４２スライダー、ケーシングに収まった図４３スライダーの図４３から図４４に変わるスライダーの運動が図４６待機状態、図４７解除、図４８障子分離、の各工程を図４９（６６）（６７）でロッド、レバーを引き出し、図４９（６８）で図１５（３０）後ろ側アームは（５７）後側ロッドを介して後ろ側スライダーに押されフックを広げ、図４９（６９）の位置で框を固定状態から解除して同工程を終え、図４９（７０）位置から図５１障子分離の工程が始まり、図４８、図４４のスライダー動作を（５６）ロッドを介して前側スライダーに押されフックがさらに開き、アームが障子をホルダーから押し出し分離工程を終える、そして図４、図５（２９）の外側内視左縦框、戸当り部を広げ引き違い窓に戻る。
【００１９】
【発明の効果】
引き違い窓の開口面積を自由に調節出来る開閉機能と、開き窓の持つ全開時の開放感に加え内開きにする事で全開時の風からの影響による障子のバタツキを軽減し、万が一の障子脱落事故を排除させた。
【００２０】
従来引き違い窓は和風建築に多用され、開き窓は洋風建築に用いられる事が多く、本発明により建築様式の自由度を広げる。
【図面の簡単な説明】
【図１】外側から見た障子を開かせた状態の斜視図である。
【図２】内側から見た正面外観図である。
【図３】上枠・左縦枠・左側下枠水密アタチメント・下枠・右縦枠の断面図である。
【図４】通常の引き違い窓の時、閉まった状態の平面図である。
【図５】通常の引き違い窓の時、内視右側に引寄せた状態の平面図である。
【図６】通常の引き違い窓の時、内視左側に引寄せた状態である。
【図７】開き動作に入る前のホルダーに収まった状態の平面図である。
【図８】左縦枠・下枠水密アタッチメント、ホルダーフレーム、ホルダーを組み合わせた状態である。
【図９】可動部の部分投影斜視図である。
【図１０】内側障子用のホルダー部分投影斜視図である。
【図１１】外側障子用のホルダー部分投影斜視図である。
【図１２】内部にアーム、フックを収めホルダーの上端下端にそれぞれ取り付ける、外障子上用、外障子下用、内障子上用、内障子下用各ホルダーケーシング斜視図である。
【図１３】アーム、フック組み上がり斜視図である。
【図１４】アーム、フックの三面図である。
【図１５】図２カット線Ａ−Ａの断面図であり框の収まる前の状態である。
【図１６】図２カット線Ａ−Ａの断面図であり框が収まりアーム、フックでロックされた状態である。
【図１７】障子外れ止めの斜視図である。
【図１８】図２カット線Ｃ−Ｃでの断面図で、障子引き違い状態である。
【図１９】図２カット線Ｂ−Ｂでの断面図で、ホルダーに収まり障子が固定された状態である。
【図２０】図２カット線Ｂ−Ｂでの断面図で、ホルダーに外障子が上がり、内障子が下がった状態である。
【図２１】図８局部投影図の凸部と相対する凹部の框斜視図である。
【図２２】図２カット線Ｄ−Ｄで図７の障子状態断面図である。
【図２３】図２カット線Ｄ−Ｄで図７の障子状態でかつ図２８の動きをした状態である。
【図２４】ホルダーに障子が収まり内側に開いた状態の断面図である。
【図２５】図１、図１５（１）の三面図である。
【図２６】図１（２）の三面図である。
【図２７】図２のカット線Ｆ−Ｆの断面図である。
【図２８】図１のカット線Ｅ−Ｅの断面図である。
【図２９】図２７カット線Ｇ−Ｇの断面図である。
【図３０】図２８カット線Ｈ−Ｈの断面図である。
【図３１】図２７（５）の斜視図・右側面図・平面図である。
【図３２】図２７カット線Ｊ−Ｊの断面図である。
【図３３】図２８カット線Ｉ−Ｉの断面図である。
【図３４】図２７カット線Ｋ−Ｋの断面図である。
【図３５】図２７（２）・（４）・（６）・（８）の局部投影断面図である。
【図３６】図２７（２）・（４）・（６）・（８）の局部投影断面図である。
【図３７】図２７（２）・（４）・（６）・（８）の局部投影断面図である。
【図３８】図２７（２）・（４）・（６）・（８）の局部投影断面図である。
【図３９】図２７（２）・（４）・（６）・（８）の局部投影図である。
【図４０】図２７（２）・（４）・（６）・（８）の局部投影図である。
【図４１】図２７（２）・（４）・（６）・（８）の局部投影図である。
【図４２】図２４（９）の斜視図である。
【図４３】図４２に収まるスライダー動作前の斜視図である。
【図４４】図４２に収まるスライダー動作中の斜視図である。
【図４５】図１（３）の斜視図である。
【図４６】図１５、図１６に対応するスライダー、ロッドの正面部分投影図である。
【図４７】図５０に対応するスライダー、ロッドの正面部分投影図である。
【図４８】図５１に対応するスライダー、ロッドの正面部分投影図である。
【図４９】図１（３）ロッド、レバー使用時における動作分解図である。
【図５０】図４９（６８）から（６９）の動きに対応する図２カット線Ａ−Ａ断面図である。
【図５１】図４９（６９）から（７０）の動きに対応する図２カット線Ａ−Ａ断面図である。
【符号の説明】
Ｘ  ラック、ロック引き違い時受け穴
Ｙ  ラック、ロック開き窓時受け穴
Ｗ  （８）ラックの引き違い窓から開き窓に移行する時の移動方向である。
Ｚ  （８）ラックの開き窓から引き違い窓に移行する時の移動方向である
１  一時ロックスライドボタン
２  取っ手
３  ロッド、レバー
４  ラック、ロック、ストッパー
５  スカート
６  ラック、ロック
７  一時ロック解除駒
８  ラック
９  スライダー、ケーシング
１０  ホルダー、ラックギア
１１  ピニオンギア
１２  丁番
１３  ラック・ロック引き違い解除
１４  ラック・ロック動作中
１５  ラック・ロック動作中
１６  ラック・ロック開き
１７  ラック・ロック
１８  ラック・ロック
１９  内側上用アーム、フック、ケーシング
２０  内側下用アーム、フック、ケーシング
２１  外側上用アーム、フック、ケーシング
２２  外側下用アーム、フック、ケーシング
２３  一時ロック左側面図
２４  一時ロック正面図
２５  一時ロック右側面図
２６  一時ロック正面動作時
２７  一時ロック正面動作解除時
２８  気密ブロック
２９  框戸当り
３０  後ろアーム
３１  前アーム
３２  長フック
３３  内視外側左框
３４  外側障子上框上レール、ガイド部
３５  ホルダー本体
３６  外側上レール
３７  外側下レール
３８  内側上レール
３９  内側下レール
４０  框加重部
４１  障子受け
４２  一時ロック動作解除時すがた
４３  取っ手ギア部
４４  戸車カム、ギア
４５  戸車
４６  カム、スカート
４７  一時ロック取り付け位置
４８  外側障子用ホルダー
４９  内側障子用ホルダー
５０  短フック
５１  溝
５２  一時ロックかかり部
５３  ラック・ロック・ブロック
５４  一時ロック引き違い時姿
５５  一時ロック動作時姿
５６  前アーム用ロッド
５７  後ろアーム用ロッド
５８  取っ手スライド戻しカム
５９  ギア
６０  上枠
６１  上枠レール部
６２  内視左枠
６３  内視右枠
６４  下枠
６５  下枠水密アタッチメント
６６  ロッド、レバー動作分解  収め
６７  ロッド、レバー動作分解  引き出し
６８  ロッド、レバー動作分解  解除掛かり始め
６９  ロッド、レバー動作分解  解除終わり  分離掛かり始め
７０  ロッド、レバー動作分解  分離終わり
【図１】
2004176300.tif 000003
【図２】
2004176300.tif 000004
【図３】
2004176300.tif 000005
【図４】
2004176300.tif 000006
【図５】
2004176300.tif 000007
【図６】
2004176300.tif 000008
【図７】
2004176300.tif 000009
【図８】
2004176300.tif 000010
【図９】
2004176300.tif 000011
【図１０】
2004176300.tif 000012
【図１１】
2004176300.tif 000013
【図１２】
2004176300.tif 000014
【図１３】
2004176300.tif 000015
【図１４】
2004176300.tif 000016
【図１５】
2004176300.tif 000017
【図１６】
2004176300.tif 000018
【図１７】
2004176300.tif 000019
【図１８】
2004176300.tif 000020
【図１９】
2004176300.tif 000021
【図２０】
2004176300.tif 000022
【図２１】
2004176300.tif 000023
【図２２】
2004176300.tif 000024
【図２３】
2004176300.tif 000025
【図２４】
2004176300.tif 000026
【図２５】
2004176300.tif 000027
【図２６】
2004176300.tif 000028
【図２７】
2004176300.tif 000029
【図２８】
2004176300.tif 000030
【図２９】
2004176300.tif 000031
【図３０】
2004176300.tif 000032
【図３１】
2004176300.tif 000033
【図３２】
2004176300.tif 000034
【図３３】
2004176300.tif 000035
【図３４】
2004176300.tif 000036
【図３５】
2004176300.tif 000037
【図３６】
2004176300.tif 000038
【図３７】
2004176300.tif 000039
【図３８】
2004176300.tif 000040
【図３９】
2004176300.tif 000041
【図４０】
2004176300.tif 000042
【図４１】
2004176300.tif 000043
【図４２】
2004176300.tif 000044
【図４３】
2004176300.tif 000045
【図４４】
2004176300.tif 000046
【図４５】
2004176300.tif 000047
【図４６】
2004176300.tif 000048
【図４７】
2004176300.tif 000049
【図４８】
2004176300.tif 000050
【図４９】
2004176300.tif 000051
【図５０】
2004176300.tif 000052
【図５１】
2004176300.tif 000053